(57)【要約】【課題】解決しようとする問題点は、刈払作業時に石などの障害物がチップに当たるとチップが破損して飛散することにある。この対策として刈払刃よりもやや小さい径の金属円板で製作して周縁部寄りに環状凸条により形成した環状接地体を形成し、該環状接地体の周縁側に刈刃周縁部の下面に密接する水平面の刈刃周縁保護面が形成された刈払機の刈取刃体が提案されているが、刈払作業時に石などの障害物が当たるとチップが破損して飛散する怖れがあるものであった。【解決手段】刈刃下面又は上面の少なくとも片方の面に刈払刃の外径よりもやや小さい外径の環状凸条からなる所定幅の環状体を固着したことを特徴とする刈払機の刈払刃を用いることで、刈刃に石などの障害物が当たってもその衝撃を環状体で分散吸収して刈刃が損傷するのを防止することができ、更に、例え、刈刃が破損しても刈刃は環状体に固着されているので、刈刃が飛散するのを防止できる。【選択図】図１
2012055230.tif 000002
【特許請求の範囲】
【請求項１】
刈刃下面又は上面の少なくとも片方の面に刈払刃の外径よりもやや小さい外径の環状凸条からなる所定幅の環状体を固着したことを特徴とする刈払機の刈払刃。
【請求項２】
刈刃の下面及び上面の両面に刈払刃の外径よりもやや小さい外径の環状凸条からなる所定幅の環状体を固着したことを特徴とする請求項１記載の刈払機の刈払刃。
【発明の詳細な説明】
【技術分野】
【０００１】
本発明は、刈払機の刈払刃に関するものである。
【背景技術】
【０００２】
刈払機の刈払刃として、刈刃周縁部に刈刃切欠を形成するとともに、チップを溶接したチップソーが知られている。該チップソーは、刈払作業時に石などの障害物が当たるとチップが破損して飛散することがあり、刈払作業の安全確保の点で問題点がある。
【０００３】
この対策として刈払刃よりもやや小さい径の金属円板で製作して刈払刃の周縁部寄りに環状凸条により形成した環状接地体を形成し、該環状接地体の外周縁側に刈刃周縁部の下面に密接する水平面からなる刈刃周縁保護面が形成された刈払機の刈取刃体が特開２００１−２８９２３号公報にて提案されてはいるが、このものは、環状接地体の外周縁側に刈刃周縁部の下面に密接する水平面の刈刃周縁保護面が形成されただけのものであり、固着されていないので、刈払刃の強度を上げる工夫は実質的にはなされておらず、刈払作業時に石などの障害物が当たるとチップが破損して飛散する怖れが従来と同様にあるものであった。また、刈刃と接地体との間に草等が入り込むとその都度、エンジンを停止して草等を除去しなければならないものであった。
【先行技術文献】
【特許文献】
【０００４】
【特許文献１】特開２００１−２８９２３号公報
【発明の概要】
【発明が解決しようとする課題】
【０００５】
本発明が解決しようとする問題点は、刈払作業時に石などの障害物がチップに当たるとチップが破損して飛散することにある。
【課題を解決するための手段】
【０００６】
本発明は、刈刃下面又は上面の少なくとも片方の面に刈払刃の外径よりもやや小さい外径の環状凸条からなる所定幅の環状体を固着したことを特徴とする。
【発明の効果】
【０００７】
本発明の刈払機の刈払刃は、刈刃下面又は上面の少なくとも片方の面に刈払刃の外径よりもやや小さい外径の環状凸条からなる所定幅の環状体を固着したことを特徴とするものであるから、刈刃に石などの障害物が当たってもその衝撃を環状体で分散吸収して刈刃が損傷するのを防止することができるという利点がある。更に、例え、刈刃が破損しても刈刃は環状体に固着されているので、刈刃が飛散するのを防止できるという効果がある。
【図面の簡単な説明】
【０００８】
【図１】図１は本発明の刈込刃を設けた刈込機の要部断面図である。
【図２】図２は同上の刈込刃の断面図である。
【図３】図３は同上の刈込刃の平面図である。
【図４】図４は同上の刈込刃に固着する環状体の平面図である。
【図５】図５は同上の刈込刃の他の実施例の平面図である。
【図６】図６は同上の刈込刃の他の実施例の側面図である。
【発明を実施するための形態】
【０００９】
以下、本発明の実施例の図示例とともに説明する。
【実施例１】
【００１０】
図１は、本発明を実施した刈払機Kの刈払刃１を示し、刈刃２の下面及び上面の両面には刈刃２下面に刈払刃１の外径よりもやや小さい外径の環状凸条からなる所定幅の環状体３を固着している。環状体３は、刈刃２の外径よりもやや小さい外径であり、実施例では１センチメートル小さくしているが、できる限り大きくして刈刃２の外周縁部に形成された刈刃切欠４に近付けて刈刃２の損傷を防止するのが望ましい。尚、環状体３は刈刃切欠４の周囲に達するものでも構わない。環状体３の材質が合成樹脂やゴム質材の場合は、接着剤により環状体３の少なくとも全端縁が刈刃２に固着され、環状体２の材質が金属の場合は、溶接により環状体３の少なくとも全端縁が刈刃２に固着されている。環状体３の材質が合成樹脂やゴム質材のものは、接着剤は、シアノアクリレート系モノマーを主成分とする瞬間接着剤（例えば、高圧ガス工業(株)のシアノン（登録商標））が望ましい。
【００１１】
環状体３は、厚みを５ミリメートルに設定しているので、草を確実に短く刈れるようになっている。実施例では５ミリメートルに設定したが、多少厚くなっても、薄くなっても構わない。
【００１２】
環状体３は、断面形状を円弧形状にしているが、半円形、半楕円形に形成して曲線形状にしても構わないし、頂点を平面とし外周側斜面、内周側斜面からなる断面山形としても構わない。
【００１３】
刈刃２は、外周縁部に刈刃切欠４が形成され、チップ５を溶着したチップ刈刃６が形成されている。
【００１４】
刈刃２が金属で出来ているために刈込機は重たく作業に適さないものであり、軽量化のために、多数の穴７が開けられている。
【００１５】
環状体３の材質が塩化ビニールのような合成樹脂やゴム質材のものは、弾性がありチップ刈刃６に加わった衝撃力を吸収できるので、チップ刈刃６の損傷Sを更に防止できる。
【００１６】
刈刃２下面に刈払刃１の外径よりもやや小さい外径の環状凸条からなる所定幅の環状体３を固着しているものは、接地面積が少なく、環状体３を地面等にスムーズに摺接させることができ、操行性が良い。また、腰への負担が軽く作業が容易である。
【００１７】
刈払刃１は、先端駆動軸８にワッシャ９を介してねじ１０で連結されている。先端駆動軸８は、駆動軸（図示せず）にベベルギア（図示せず）を介して連結されている。
【００１８】
刈刃２の下面及び上面の両面には刈払刃１の外径よりもやや小さい外径の環状凸条からなる所定幅の環状体３を固着しているが、刈刃２の下面にのみ刈払刃１の外径よりもやや小さい外径の環状凸条からなる所定幅の環状体３を固着しても構わない。環状体３は、同じ材質、同じ大きさのものを使用しているが、異なっていても構わない。刈刃２の下面及び上面の両面に環状体３を固着する実施例として、溶接や接着について説明したが、刈刃２に環状体３を同時成形により固着しても構わない。この場合、刈刃２に多数の貫通口を形成し、刈刃２を固定した金型内に樹脂を充填するだけで簡単に精度良く、安定した固着性能を保有した状態で環状体３を固着することができる。この場合、刈刃２への環状体３の固着強度を上げる工夫として刈刃２に小さな貫通口を多数形成して個々のチップ刈刃６を環状体３に固着するようにすることや、表面に小さな凹凸を形成するなど適宜実施すれば良い。環状体３は刈刃切欠４の周囲に達するものでも構わない。環状体３の摩耗を防止する工夫として環状体３の表面に金属材を設けることも有効であり、同時成形により固着しても構わない。
【実施例２】
【００１９】
図５及び図６は、本発明の他の実施形態の刈払機Kの刈払刃１を示し、刈刃２の上面には刈刃２の径よりもやや小さい外径の環状凸条からなる所定幅の環状体３を固着している。刈刃２の下面には、作業時に地面に摺接される円状の接地体１１をプレスにより複数個同心円上に点在して設けて接地体１１の摩耗防止と刈刃２の強度アップを図っている。尚、接地体１１を合成樹脂で構成する場合は、刈刃２の下面に接地体１１を固着する方法として、刈刃２に接地体１１を同時成形により固着しても構わない。この場合、刈刃２に同心円上に複数の貫通口（図示せず）を形成し、刈刃２を固定した金型内に樹脂を充填するだけで刈刃２の下面には接地体１１を固着することができる。尚、環状体３は刈刃切欠４の周囲に達するものでも構わない。実施例では、円状の接地体１１をプレスにより複数個同心円上に点在して設けたが、プレスにより接地体１１を環状に形成しても構わない。
【産業上の利用可能性】
【００２０】
本発明の刈払刃は、手に持って草刈りする刈払機以外に、人が乗用する大形の刈払機にも適用できる。
【符号の説明】
【００２１】
１    刈払刃
２    刈刃
３    環状体
【図１】
2012055230.tif 000003
【図２】
2012055230.tif 000004
【図３】
2012055230.tif 000005
【図４】
2012055230.tif 000006
【図５】
2012055230.tif 000007
【図６】
2012055230.tif 000008
【手続補正書】
【提出日】平成22年9月10日(2010.9.10)
【手続補正１】
【補正対象書類名】明細書
【補正対象項目名】０００８
【補正方法】変更
【補正の内容】
【０００８】
図６は同上の刈込刃の他の実施例の断面図である。  
図７は同上の刈込刃の他の実施例の断面図である。
【手続補正２】
【補正対象書類名】明細書
【補正対象項目名】００１９
【補正方法】変更
【補正の内容】
【００１９】
図５及び図６は、本発明の他の実施形態の刈払機Kの刈払刃１を示し、刈刃２の上面には刈刃２の径よりもやや小さい外径の環状凸条からなる所定幅の環状体３を固着している。刈刃２の下面には、作業時に地面に摺接される接地体１１をプレスにより複数個同心円上に点在して設けて接地体１１の摩耗防止と刈刃２の強度アップを図っている。尚、接地体１１を合成樹脂で構成する場合は、刈刃２の下面に接地体１１を固着する方法として、刈刃２に接地体１１を同時成形により固着しても構わない。この場合、刈刃２に同心円上に複数の貫通口（図示せず）を形成し、刈刃２を固定した金型内に樹脂を充填するだけで刈刃２の下面には接地体１１を固着することができる。尚、環状体３は刈刃切欠４の周囲に達するものでも構わない。実施例では、円状の接地体１１をプレスにより複数個同心円上に点在して設けたが、図７に示すように、プレスにより接地体１１を環状に形成しても構わない。
【手続補正３】
【補正対象書類名】図面
【補正対象項目名】図６
【補正方法】変更
【補正の内容】
【図６】
2012055230.tif 000009
【手続補正４】
【補正対象書類名】図面
【補正対象項目名】図７
【補正方法】追加
【補正の内容】
【図７】
2012055230.tif 000010
【手続補正書】
【提出日】平成22年10月29日(2010.10.29)
【手続補正２】
【補正対象書類名】手続補正書
【補正対象項目名】手続補正１
【補正方法】変更
【補正の内容】
【手続補正１】
【補正対象書類名】明細書
【補正対象項目名】０００８
【補正方法】変更
【補正の内容】
【０００８】
【図１】図１は本発明の刈込刃を設けた刈込機の要部断面図である。
【図２】図２は同上の刈込刃の断面図である。
【図３】図３は同上の刈込刃の平面図である。
【図４】図４は同上の刈込刃に固着する環状体の平面図である。
【図５】図５は同上の刈込刃の他の実施例の平面図である。
【図６】図６は同上の刈込刃の他の実施例の断面図である。
【図７】図７は同上の刈込刃の他の実施例の断面図である。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
刈刃下面又は上面の少なくとも片方の面に刈払刃の外径よりもやや小さい外径の環状凸条からなる所定幅の環状体を固着した刈払機の刈払刃であって、環状体は弾性を有する材質でできていることを特徴とする刈払機の刈払刃。
【請求項２】
刈刃の下面及び上面の両面に刈払刃の外径よりもやや小さい外径の環状凸条からなる所定幅の環状体を固着したことを特徴とする請求項１記載の刈払機の刈払刃。
【請求項３】
刈刃の表面に軽量化のための穴が多数開けられており、環状体は刈刃の外周縁部に形成された刈刃切刃と前記穴の一部を覆う幅を有することを特徴とする請求項１記載の刈払機の刈払刃。
【手続補正２】
【補正対象書類名】明細書
【補正対象項目名】０００６
【補正方法】変更
【補正の内容】
【０００６】
本発明の刈払機の刈払刃は、刈刃下面又は上面の少なくとも片方の面に刈払刃の外径よりもやや小さい外径の環状凸条からなる所定幅の環状体を固着した刈払機の刈払刃であって、環状体は弾性を有する材質でできていることを特徴とする。
【手続補正３】
【補正対象書類名】明細書
【補正対象項目名】０００７
【補正方法】変更
【補正の内容】
【０００７】
本発明の刈払機の刈払刃は、刈刃下面又は上面の少なくとも片方の面に刈払
刃の外径よりもやや小さい外径の環状凸条からなる所定幅の環状体を固着した刈払機の刈払刃であって、環状体は弾性を有する材質でできていることを特徴とするものであるから、刈刃に石などの障害物が当たってもその衝撃を環状体で分散吸収して刈刃が損傷するのを防止することができるという利点がある。更に、例え、刈刃が破損しても刈刃は環状体に固着されているので、刈刃が飛散するのを防止できるという効果があり、更に、弾性を有する材質でできた環状体でチップ刈刃に加わった衝撃力を吸収できるので、チップ刈刃の損傷を更に防止できるという効果がある。
【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
刈刃下面又は上面の少なくとも片方の面に刈払刃の外径よりもやや小さい外径の環状凸条からなる所定幅の環状体を固着した刈払機の刈払刃であって、環状体は弾性を有する材質でできている刈払機の刈払刃であり、環状体は刈刃の外周縁部に形成された刈刃切刃の周囲に達することを特徴とする刈払機の刈払刃。
【請求項２】
刈刃の下面及び上面の両面に刈払刃の外径よりもやや小さい外径の環状凸条からなる所定幅の環状体を固着したことを特徴とする請求項１記載の刈払機の刈払刃。
【請求項３】
刈刃の表面に軽量化のための穴が多数開けられており、環状体は刈刃の外周縁部に形成された刈刃切刃の周囲に達するとともに前記穴の一部を覆う幅を有することを特徴とする請求項１記載の刈払機の刈払刃。
【手続補正２】
【補正対象書類名】明細書
【補正対象項目名】０００６
【補正方法】変更
【補正の内容】
【０００６】
本発明の刈払機の刈払刃は、刈刃下面又は上面の少なくとも片方の面に刈払刃の外径よりもやや小さい外径の環状凸条からなる所定幅の環状体を固着した刈払機の刈払刃であって、環状体は弾性を有する材質でできている刈払機の刈払刃であり、環状体は刈刃の外周縁部に形成された刈刃切刃の周囲に達することを特徴とする。
【手続補正３】
【補正対象書類名】明細書
【補正対象項目名】０００７
【補正方法】変更
【補正の内容】
【０００７】
本発明の刈払機の刈払刃は、刈刃下面又は上面の少なくとも片方の面に刈払刃の外径よりもやや小さい外径の環状凸条からなる所定幅の環状体を固着した刈払機の刈払刃であって、環状体は弾性を有する材質でできている刈払機の刈払刃であり、環状体は刈刃の外周縁部に形成された刈刃切刃の周囲に達することを特徴とするものであるから、刈刃に石などの障害物が当たってもその衝撃を環状体で分散吸収して刈刃が損傷するのを防止することができるという利点がある。更に、例え、刈刃が破損しても刈刃は環状体に固着されているので、刈刃が飛散するのを防止できるという効果があり、更に、弾性を有する材質でできた環状体でチップ刈刃に加わった衝撃力を吸収できるので、チップ刈刃の損傷を更に防止できるという効果がある。